(57)【要約】【課題】操作性の改善された立位若しくは座位姿勢の被写体を撮影する放射線撮影装置を提供すること。【解決手段】被写体に放射線を照射する放射線管と放射線を検出する放射線検出器とから成る撮影系を被写体を挟んで対向配置し、立位或は座位姿勢の被写体若しくは前記撮影系を回転させながら被写体の放射線画像を前記放射線検出器で検出する放射線撮影装置において、被写体の上肢を頭部上方に配置するためのグリップを備え、該グリップを被写体の体軸方向に複数箇所配置するとともに、被写体の体軸に略直交する方向へ接近又は離間する構成とする。【選択図】図１
2006247103.tif 000002
【特許請求の範囲】
【請求項１】
被写体に放射線を照射する放射線管と放射線を検出する放射線検出器とから成る撮影系を被写体を挟んで対向配置し、立位或は座位姿勢の被写体若しくは前記撮影系を回転させながら被写体の放射線画像を前記放射線検出器で検出する放射線撮影装置において、
被写体の上肢を頭部上方に配置するためのグリップを備え、該グリップを被写体の体軸方向に複数箇所配置するとともに、被写体の体軸に略直交する方向へ接近又は離間する構成としたことを特徴とする放射線撮影装置。
【請求項２】
前記グリップを被写体の体軸に略直交する方向へ接近又は離間させるガイド部材を設けたことを特徴とする請求項１記載の放射線撮影装置。
【請求項３】
被写体に放射線を照射する放射線管と放射線を検出する放射線検出器とから成る撮影系を被写体を挟んで対向配置し、立位或は座位姿勢の被写体若しくは前記撮影系を回転させながら被写体の放射線画像を前記放射線検出器で検出する放射線撮影装置において、
被写体の上肢を頭部上方に配置するための上肢固定部と、該上肢固定部に結合されたベルトと、前記上肢固定部の上方に配置され前記ベルトを被写体の体軸方向に移動可能に支持するベルト支持部と、該ベルト支持部により反転された前記ベルトを固定するベルト固定部とを設けたことを特徴とする放射線撮影装置。
【請求項４】
被写体に放射線を照射する放射線管と放射線を検出する放射線検出器とから成る撮影系を被写体を挟んで対向配置し、立位或は座位姿勢の被写体若しくは前記撮影系を回転させながら被写体の放射線画像を前記放射線検出器で検出する放射線撮影装置において、
被写体の下肢の可動範囲を制限する側壁を備えた下肢ガードを１つ以上有し、被写体の下肢をその周囲３６０度方向から見た際に、被写体の下肢が見えないように前記下肢ガードを配置するとともに、被写体の下肢が通過可能な隙間を１つ以上設けたことを特徴とする放射線撮影装置。
【発明の詳細な説明】
【技術分野】
【０００１】
本発明は、被写体若しくは撮影系を回転させながら被写体の放射線画像を取得する放射線撮影装置に関するものである。
【背景技術】
【０００２】
被写体に放射線を照射する放射線管と放射線を検出する放射線検出器とから成る撮影系を被写体を挟んで対向配置し、被写体若しくは撮影系を回転させながら被写体の放射線画像を放射線検出器で検出する従来の放射線撮影装置では、被写体を横臥させる形態の他に立位或は座位姿勢で撮影を行うもの（例えば、特許文献１、２参照）、更に、被写体を撮影系との接触から保護するためのドームを有するものが知られている（例えば、特許文献３参照）。
【０００３】
又、被写体を臥位状態で撮影を行う従来の臥位型の放射線撮影装置では、例えば胸腹部の撮影を行う際に、被写体の上肢を頭部上方に配置するためのグリップを被写体を横臥させる天板の長手方向の所望位置に移動、固定可能な構成になっているものが知られている（例えば、特許文献４参照）。
【０００４】
【特許文献１】特開２０００−２１０２８０号公報（第２頁、図１）
【特許文献２】特開平５−４２１３２号公報（第２頁、図１）
【特許文献３】特開平６−３０４１６４号公報（第２−３頁、図１及び図２）
【特許文献４】特許第３０９９９５８号公報（第２頁、図８〜図１０）
【発明の開示】
【発明が解決しようとする課題】
【０００５】
臥位型の放射線撮影装置の従来のグリップ機構を、立位或は座位姿勢の被写体若しくは撮影系を回転させながら被写体の撮影を行う立位型或は座位型の放射線撮影装置に応用した場合、操作者が被写体個々の身長や座高、腕の長さに応じてグリップの高さ位置を調整する際、操作箇所が被写体の頭部上方になってしまう。
【０００６】
従って、グリップが落下しないように支えながらの位置調整及び固定作業が必要であり操作性が悪い。更に、高身長の被写体と低身長の操作者との組合せの場合には操作すらできないこともある。
【０００７】
又、被写体と撮影系との接触を防止するためのドームを用いた従来の放射線撮影装置では、ドーム内部ヘの被写体の出入りの際に、ドームの一部を開放する操作が必要であった。
【０００８】
そこで、本発明の目的は、操作性の改善された立位若しくは座位姿勢の被写体を撮影する放射線撮影装置を提供することにある。
【課題を解決するための手段】
【０００９】
上記目的を達成するため、請求項１記載の発明は、被写体に放射線を照射する放射線管と放射線を検出する放射線検出器とから成る撮影系を被写体を挟んで対向配置し、立位或は座位姿勢の被写体若しくは前記撮影系を回転させながら被写体の放射線画像を前記放射線検出器で検出する放射線撮影装置において、被写体の上肢を頭部上方に配置するためのグリップを備え、該グリップを被写体の体軸方向に複数箇所配置するとともに、被写体の体軸に略直交する方向へ接近又は離間する構成としたことを特徴とする。
【００１０】
請求項２記載の発明は、請求項１記載の発明において、前記グリップを被写体の体軸に略直交する方向へ接近又は離間させるガイド部材を設けたことを特徴とする。
【００１１】
請求項３記載の発明は、被写体に放射線を照射する放射線管と放射線を検出する放射線検出器とから成る撮影系を被写体を挟んで対向配置し、立位或は座位姿勢の被写体若しくは前記撮影系を回転させながら被写体の放射線画像を前記放射線検出器で検出する放射線撮影装置において、被写体の上肢を頭部上方に配置するための上肢固定部と、該上肢固定部に結合されたベルトと、前記上肢固定部の上方に配置され前記ベルトを被写体の体軸方向に移動可能に支持するベルト支持部と、該ベルト支持部により反転された前記ベルトを固定するベルト固定部とを設けたことを特徴とする。
【００１２】
請求項４記載の発明は、被写体に放射線を照射する放射線管と放射線を検出する放射線検出器とから成る撮影系を被写体を挟んで対向配置し、立位或は座位姿勢の被写体若しくは前記撮影系を回転させながら被写体の放射線画像を前記放射線検出器で検出する放射線撮影装置において、被写体の下肢の可動範囲を制限する側壁を備えた下肢ガードを１つ以上有し、被写体の下肢をその周囲３６０度方向から見た際に、被写体の下肢が見えないように前記下肢ガードを配置するとともに、被写体の下肢が通過可能な隙間を１つ以上設けたことを特徴とする。
【発明の効果】
【００１３】
本発明に係る放射線撮影装置では、被写体の頭部上方での操作やグリップを支えながらの操作、被写体の出入りのためのガードの開放操作が不要となるため、操作性の改善された放射線撮影装置を提供することができる。
【発明を実施するための最良の形態】
【００１４】
以下に、本発明の実施の形態を添付の図面に基づいて詳細に説明する。
【００１５】
尚、以下の実施の形態では、本発明の放射線撮影装置の例として、Ｘ線を用いて被写体を撮影しＣＴ像を再構成するＸ線ＣＴ撮影装置について説明するが、本発明を他の放射線を用いた撮影装置、ＣＴ撮影装置以外の撮影装置に適用することも可能である。
【００１６】
＜実施の形態１＞
図１は本発明を適用したＸ線ＣＴ撮影装置の実施の形態１の概略構成を示す側面図、図２は上面図、図３はグリップ部の斜視図であり、図１〜３を用いて実施の形態１の構成を説明する。
【００１７】
Ｘ線管１及び２次元のＸ線検出器２は互いに対向して配置され、Ｘ線管１は不図示の機構により上下動可能に構成される。２次元のＸ線検出器２は周知のシンチレータ、２次元に配列された複数の光検出素子、電気回路、筐体等から成り、Ｘ線画像を検出し得るように構成される。支持部３はＸ線検出器２を支持するとともに、所望の高さに配置可能なように上下動させる支柱とガイド部材より構成される。
【００１８】
Ｘ線管１とＸ線検出器２との間には回転台４が配置され、ターンテーブル５が不図示の駆動部によって回転中心５ａの周りを回転可能に構成、制御される。又、ターンテーブル５の角度位置及び回転速度を検出する不図示の検出機構も回転台４に設けられる。又、直立した被写体６の背面側をその体軸に沿って支持することにより、回転中心５ａの近傍に被写体６を配置する幅寸法Ｌの板状の被写体支持部７がターンテーブル５に設けられる。被写体支持部７は、炭素繊維強化プラスチックのようなＸ線透過性の良好な材料が使用され、厚さ方向に湾曲した形状となっている。
【００１９】
更に、所定高さの側壁を有する下肢ガード８がターンテーブル５の外周に沿って円弧状に設けられ、被写体支持部７の背面側で隙間寸法Ｍで開放された隙間９を有している。ここで、隙間寸法Ｍは被写体の下肢が通過可能かつＬ＞Ｍの関係となっており、ターンテーブル５の周囲３６０度外側から被写体の下肢を見た際、被写体の下肢が見えないように被写体支持具７と下肢ガード８が重なり合って配置される。
【００２０】
又、握ることによって被写体６の両腕が頭上に挙がった状態で維持するグリップ１０が、被写体支持部７の上部且つその長手方向に所定間隔で３つ配置される。グリップ１０は、柔軟であるが復元性を有する例えばウレタンのような材料が棒状に加工された芯材１１と、芯材１１全体を包む布製の筒状のカバー部１２と、カバー部１２が重ねられてシート状に加工されたシート部１３とから構成される。芯材１１の長さは被写体支持部７の幅よりも若干短く、芯材１１の両端部よりも外側にある筒状のカバー部１２が重なり合ってシート部１３を形成している。そして、シート部１３が被写体支持部７の両端部に固定されることにより、グリップ１０が配置される。
【００２１】
次に、図１〜図３に示すＸ線ＣＴ撮影装置における被写体６のポジショニング及び撮影手順を説明する。
【００２２】
先ず、被写体６が下肢ガード８の隙間９を通ってターンテーブル５に載り、被写体支持部７に密着するように直立し、両腕を挙げてグリップ１０を握る。ここで、被写体６の身長や腕の長さ、苦痛を感じずに腕が挙がる高さは個々の被写体によって異なる。
【００２３】
従って、高さの異なる３つのグリップ１０のうち、被写体が楽に握れるとともに撮影領域に上肢が入らない適切な高さのグリップを選択して握ることになる。この際、最上位置のグリップ１０を握る場合であっても、柔軟な芯材１１、布製のカバー部１２及びシート部１３から構成される他の２つのグリップ１０は、被写体の腕や頭部等と被写体支持部７との間に挟まれるように被写体６の背面方向へ変位し、被写体６のポジショニングは支障なく終了して撮影準備が整う。
【００２４】
そして、Ｘ線照射条件やターンテーブル５の回転速度等、予め設定された撮影パラメータに基づいてターンテーブル５の回転とともにＸ線が照射され、ターンテーブル５の所定角度毎に被写体６の放射線画像データがＸ線検出器２で検出され、不図示の画像処理部へ順次送信される。そして、被写体６の撮影が開始されてからターンテーブル５が３６０度回転すると撮影が終了し、画像処理部が画像データの再構成処理を行い、所定の断層ＣＴ像が作成される。被写体の入替えを行う際には、下肢ガード８の隙間９を再び通って回転撮影台４から降りれば良い。
【００２５】
以上説明したような構成とすることで、被写体個々の身長や腕の長さに応じて、グリップの高さ位置を調整し固定する操作自体が不要となったので、撮影者の操作性が向上した。更に、グリップの上下動及び固定機構が不要となり、安価な装置の提供が可能となった。又、被写体支持部７及び下肢ガード８の協働により、被写体６の下肢の可動範囲をターンテーブル５の外周の内側に制限し、被写体６の下肢とＸ線検出器２や支持部３との接触を防止しつつ、被写体６の入替えの際の下肢ガード８の開放操作も不要となったので、撮影者の操作性が向上した。
【００２６】
尚、グリップ１０の個数は２つであっても４つ以上であっても良く、下肢ガード８はターンテーブル５の外周に沿った円弧形状でなくても良く、例えば多角形でも良い。又、下肢ガード８及び隙間９の個数や配置も設置形態に応じて、最適に設定すれば良い。
【００２７】
＜実施の形態２＞
図４は本発明の実施の形態２の概略構成を示すグリップ部の斜視図、図５は断面図であり、図４及び図５を用いて実施の形態２の構成を説明する。グリップ以外のＸ線ＣＴ撮影装置の構成は実施の形態１と同一であり、実施の形態１と同一の部材には同一の記号を付し、当該部材については詳細な説明を省略する。
【００２８】
グリップ２１は、所定長さを有する丸棒２２とその両端に取付けられたフランジ２３から構成され、被写体支持部７に設けられたガイド部材２４と丸棒２２が嵌合している。ガイド部材２４は、被写体支持部７の板厚方向に貫通して設けられた樹脂製のパイプであり、グリップ２１を被写体支持部７の厚さ方向に移動可能に支持する。グリップ２１及びガイド部材２４は、被写体支持部７の上部且つその幅方向の両端部付近に、被写体支持部７の長手方向に所定間隔で３箇所ずつ配置される。
【００２９】
そして、被写体支持部７に密着するように直立した被写体６が、両腕を挙げてグリップ２１を握る。ここで、実施の形態１と同様に、被写体が楽に握れるとともに撮影領域に上肢が入らない適切な高さのグリップを選択して握るので、被写体の腕や肩等と接触する位置にある使用されないグリップ２１は、被写体６と被写体支持部７との間に挟まれるように被写体支持部７の背面方向へ移動し、被写体６のポジショニングは支障なく終了する。
【００３０】
このような構成とすることで、実施の形態１と同様の効果を得ることができる。尚、ばね等の弾性体を利用してグリップ２１を被写体６の方向へ軽微に付勢し、被写体６が被写体支持部７から離れた際に、全てのグリップ２１が被写体側へ移動して握れる状態に復帰するようにしても良い。
【００３１】
＜実施の形態３＞
図６は本発明の実施の形態３の概略構成を示すグリップ部の斜視図、図７は側面図であり、図６及び図７を用いて実施の形態３の構成を説明する。グリップ以外のＸ線ＣＴ撮影装置の構成は実施の形態１と同一であり、実施の形態１と同一の部材には同一の記号を付し、当該部材については詳細な説明を省略する。
【００３２】
グリップ３１は、実施の形態１と同様に、芯材１１、カバー部１２、シート部１３とから構成され、被写体支持部７の上部且つその幅方向の両端部付近に、被写体支持部７と芯材１１との長手方向とが平行となるように配置される。
【００３３】
そして、被写体支持部７に密着するように直立した被写体６が、両腕を挙げてグリップ３１を握る。ここで、グリップ３１の握られた位置よりも低い部分は、実施の形態１と同様に、被写体の腕や肩等と被写体支持部７との間に挟まれるように被写体６の背面方向へ変位し、被写体６のポジショニングは支障なく終了する。
【００３４】
このような構成とすることで、実施の形態１と同様の効果を得られるだけでなく、被写体支持部７の長手方向に連続してグリップが配置されるので、実施の形態１，２と比較して、個々の被写体に応じた最適な握り位置の選択が可能となった。
【００３５】
＜実施の形態４＞
図８は本発明の実施の形態４におけるＸ線ＣＴ撮影装置の概略構成を示す側面図、図９は上面図であり、図８及び図９を用いて実施の形態４の構成を説明する。実施の形態１と同一の部材には同一の記号を付し、当該部材については詳細な説明を省略する。
【００３６】
被写体支持部７の上部且つその幅方向の両端部には、凹状の案内部材４１がそれぞれ嵌め込まれる。そして、丸棒形状のグリップ４２の両端部と案内部材４１とがそれぞれ連結され、上肢固定部４３を構成する。グリップ４２の中央部にはベルト４４の端部が固定され、ベルト４４のもう一方の端部には所定長さの粘着部４５が取り付けられる。
【００３７】
そして、被写体支持部７の上端部に設けられたベルト支持部４６を介して、被写体支持部７の背面側へ反転配置される。ベルト支持部４６は、ベルト４４の幅とほぼ同じ長さを有するコロ４７、コロ４７を回転自在に支持するフレーム４８から構成され、コロ４７はベルト４４をその長さ方向に移動可能に支持するとともにその向きを１８０度反転する。
【００３８】
一方、被写体支持部７の下部背面にも粘着部４９が設けられる。この粘着部４９及びベルト４４の端部に設けられた粘着部４５は、例えばマジックファスナー等の互いに接合可能かつ着脱自在な固定具が使用され、ベルト固定部５０を構成する。
【００３９】
そして、被写体支持部７に密着するように直立した被写体６が楽に握れるとともに、撮影領域に上肢が入らないように、グリップ４２の高さを調整する。具体的には、被写体支持部７の粘着部４９と接合されるベルト４４の粘着部４５の位置を変更することにより、ベルト４４を移動させグリップの位置調整を行う。尚、被写体支持部７及びベルト４４に設けた金具でベルト固定部を構成しても良く、ベルト支持部４６やベルト固定部５０は必ずしも被写体支持部７に設ける必要もない。
【００４０】
又、本実施の形態では、グリップの高さ位置調整について説明したが、高さ位置調整される部材はグリップに限定されず、被写体の頭上に上肢を配置するアームホルダのような部材でも構わない。
【００４１】
以上説明したような構成とすることで、グリップ等の上肢固定部の高さ位置を被写体個々の身長や腕の長さに応じて調整及び固定する操作箇所を、被写体の頭部上方ではなく低い位置に配置可能となったので、撮影者の操作が容易になった。
【００４２】
以上、本発明の好ましい実施の形態について説明したが、本発明はこれらの実施の形態に限定されないことは言うまでもなく、その要旨の範囲内で種々の変形及び変更が可能である。
【００４３】
一例を挙げれば、被写体は横臥した状態でなければ立位状態に限定されず、被写体を座位姿勢で保持するイスをターンテーブル若しくは被写体支持部に追加しても良い。又、被写体を回転させる代わりに、Ｘ線管とＸ線検出器とから成る撮影系を被写体の周りに一体的に回転させながら撮影を行うようにしても本発明は適用可能である。
【図面の簡単な説明】
【００４４】
【図１】本発明の実施の形態１に係るＸ線ＣＴ撮影装置の概略構成を示す側面図である。
【図２】発明の実施の形態１に係るＸ線ＣＴ撮影装置の概略構成を示す上面図である。
【図３】本発明の実施の形態１に係るＸ線ＣＴ撮影装置のグリップ部の斜視図である。
【図４】本発明の実施の形態２の概略構成を示すグリップ部の斜視図である。
【図５】本発明の実施の形態２の概略構成を示すグリップ部の断面図である。
【図６】本発明の実施の形態３の概略構成を示すグリップ部の斜視図である。
【図７】本発明の実施の形態３の概略構成を示すグリップ部の側面図である。
【図８】本発明の実施の形態４に係るＸ線ＣＴ撮影装置の概略構成を示す側面図である。
【図９】本発明の実施の形態４に係るＸ線ＣＴ撮影装置の概略構成を示す上面図である。
【符号の説明】
【００４５】
１      Ｘ線管
２      Ｘ線検出器
６      被写体
８      下肢ガード
９      隙間
１０，２１，３１  グリップ
４３    上肢固定部
４４    ベルト
４６    ベルト支持部
５０    ベルト固定部
【図１】
2006247103.tif 000003
【図２】
2006247103.tif 000004
【図３】
2006247103.tif 000005
【図４】
2006247103.tif 000006
【図５】
2006247103.tif 000007
【図６】
2006247103.tif 000008
【図７】
2006247103.tif 000009
【図８】
2006247103.tif 000010
【図９】
2006247103.tif 000011